(57)【要約】【課題】管理者が不在の日でも集計処理を行うことができ、不在日とその後の日付の集計結果を区別して出力することができるようにする。【解決手段】本発明の現金処理装置は、管理者が不在の日を設定する管理者不在日設定手段と、入金取引情報及び出金取引情報を記憶する取引情報記憶手段と、集計結果を出力する集計結果出力手段と、管理者不在日には、取引情報記憶手段の入金取引情報及び出金取引情報に基づいて所定の集計処理を行って、該集計結果を記憶し、管理者不在日後の集計実行日には、取引情報記憶手段の入金取引情報及び出金取引情報に基づいて所定の集計処理を行い、管理者不在日における集計結果と集計実行日における集計結果とを区別して集計結果出力手段に出力させる現金処理手段とを備える。【選択図】      図１
2014106863.tif 000002
【特許請求の範囲】
【請求項１】
管理者不在日を設定する管理者不在日設定手段と、
入金取引情報及び出金取引情報を記憶する取引情報記憶手段と、
集計結果を出力する集計結果出力手段と、
管理者不在日には、上記取引情報記憶手段の入金取引情報及び出金取引情報に基づいて所定の集計処理を行って該集計結果を記憶し、管理者不在日後の集計実行日には、上記取引情報記憶手段の入金取引情報及び出金取引情報に基づいて所定の集計処理を行い、管理者不在日における集計結果と集計実行日における集計結果とを区別して上記集計結果出力手段に出力させる現金処理手段と
を備えることを特徴とする現金処理装置。
【請求項２】
上記管理者不在日設定手段が、あらかじめ予定されている管理者不在日を設定するものであることを特徴とする請求項１に記載の現金処理装置。
【請求項３】
上記管理者不在日設定手段が、該現金処理装置を起動した当日に管理者不在日を設定するものであることを特徴とする請求項１又は２に記載の現金処理装置。
【請求項４】
上記管理者不在日設定手段が、管理者不在日から翌日への切替時刻を設定するものであることを特徴とする請求項１〜３のいずれかに記載の現金処理装置。
【請求項５】
表示手段を更に備え、
上記管理者不在日設定手段が、上記表示手段に日付表を含む設定画面を表示させるものであり、管理者不在日として設定される日付を強調表示して出力するものであることを特徴とする請求項２に記載の現金処理装置。
【請求項６】
上記現金処理手段が、管理者不在日における集計結果には未出力を示すフラグを示し、集計実行日に、未出力のフラグの集計結果を出力することで、管理者不在日における集計結果と集計実行日における集計結果とを区別して出力させるものであることを特徴とする請求項１〜５のいずれかに記載の現金処理装置。
【請求項７】
コンピュータを、
管理者不在日を設定する管理者不在日設定手段、
入金取引情報及び出金取引情報を記憶する取引情報記憶手段、
集計結果を出力する集計結果出力手段、
管理者不在日には、上記取引情報記憶手段の入金取引情報及び出金取引情報に基づいて所定の集計処理を行って、該集計結果を記憶し、管理者不在日後の集計実行日には、上記取引情報記憶手段の入金取引情報及び出金取引情報に基づいて所定の集計処理を行い、管理者不在日における集計結果と集計実行日における集計結果とを区別して上記集計結果出力手段に出力させる現金処理手段
として機能させることを特徴とする現金処理プログラム。
【発明の詳細な説明】
【技術分野】
【０００１】
本発明は、現金処理装置及び現金処理プログラムに関し、例えば、金融機関、店舗等が取り扱う現金を集計する現金処理装置及び現金処理プログラムに適用し得るものである。
【背景技術】
【０００２】
特許文献１には、釣銭として必要な現金を出金する出金処理と、売り上げた現金を入金する入金処理とを行う現金処理装置に関する技術が記載されている。
【０００３】
従来、それぞれの担当者は、現金処理装置を操作して、出金処理及び入金処理を行っている。一方、管理者は、現金処理装置を操作して、１日の出金データ及び入金データに基づいて売上を計上し、その計上データと現金処理装置に実在する現金とを突き合わせる集計作業を行っている。つまり、セキュリティ管理のため、店舗における責任ある者が、１日に１回、集計作業を行っている。
【先行技術文献】
【特許文献】
【０００４】
【特許文献１】特開２００８−４６９２０号公報
【発明の概要】
【発明が解決しようとする課題】
【０００５】
しかしながら、管理者が不在しており、集計作業がなされない日がある場合、従来の現金処理装置は、例えば集計作業がなされない日の翌日に集計作業がなされた際、集計作業がなされない日の入出金データを含めて合算して計上処理を行っている。そのため、従来の現金処理装置は、管理者不在日と集計作業実行日とを分別して計上処理を行うことができないという問題が生じ得る。
【０００６】
近年の勤務形態の多様化により、例えば金融機関等においては、土曜日、日曜日等の休日でも、担当者が現金処理装置を用いて出金処理や入金処理を行うことがある。また、管理者が急な用事で不在しており、集計作業を代理する責任者も不在である場合もある。
【０００７】
この場合、従来の現金処理装置は、管理者不在日と集計作業実行日との出金データ及び入金データとを合算して計上するため、管理者は、管理者不在日と集計作業実行日の売上計上を個別に取得することができず、１日の入出金の情報を正しく把握することができない。
【０００８】
そのため、管理者不在日とその後の集計作業実行日とを区別して計上処理を行うことができる現金処理装置及び現金処理プログラムが求められている。
【課題を解決するための手段】
【０００９】
かかる課題を解決するために、第１の本発明は、（１）管理者不在日を設定する管理者不在日設定手段と、（２）入金取引情報及び出金取引情報を記憶する取引情報記憶手段と、（３）集計結果を出力する集計結果出力手段と、（４）管理者不在日には、取引情報記憶手段の入金取引情報及び出金取引情報に基づいて所定の集計処理を行って、該集計結果を記憶し、管理者不在日後の集計実行日には、取引情報記憶手段の入金取引情報及び出金取引情報に基づいて所定の集計処理を行い、管理者不在日における集計結果と集計実行日における集計結果とを区別して集計結果出力手段に出力させる現金処理手段とを備えることを特徴とする現金処理装置である。
【００１０】
第２の本発明は、コンピュータを、（１）管理者不在日を設定する管理者不在日設定手段、（２）入金取引情報及び出金取引情報を記憶する取引情報記憶手段、（３）集計結果を出力する集計結果出力手段、（４）管理者不在日には、取引情報記憶手段の入金取引情報及び出金取引情報に基づいて所定の集計処理を行って、該集計結果を記憶し、管理者不在日後の集計実行日には、取引情報記憶手段の入金取引情報及び出金取引情報に基づいて所定の集計処理を行い、管理者不在日における集計結果と集計実行日における集計結果とを区別して集計結果出力手段に出力させる現金処理手段として機能させることを特徴とする現金処理プログラムである。
【発明の効果】
【００１１】
本発明によれば、管理者不在日とその後の集計作業実行日とを分別して計上処理を行うことができる。
【図面の簡単な説明】
【００１２】
【図１】第１の実施形態の現金処理機の内部構成を示す内部構成図である。
【図２】第１の実施形態の現金処理機の外観を示す外観図である。
【図３】第１の実施形態の現金処理機の主な機能を説明する機能ブロック図である。
【図４】第１の実施形態に係る休日設定処理を示すフローチャートである。
【図５】第１の実施形態に係る管理者画面の一例を示す画面図である。
【図６】第１の実施形態に係る休日モード設定画面の一例を示す画面図である。
【図７】第１の実施形態に係る現金処理機における現金処理を示すフローチャートである。
【図８】第１の実施形態に係る記憶部に記憶される出金取引データ及び入金取引データの構成を示す構成図である。
【図９】第１の実施形態に係る休日分と集計作業実行日との集計結果及び計上結果を記録した伝票記録の構成例を示す図である。
【図１０】第２の実施形態の現金処理機の主な機能を説明する機能ブロック図である。
【図１１】第２の実施形態に係る休日への変更設定処理を示すフローチャートである。
【図１２】第２の実施形態に係る管理者画面の一例を示す画面図である。
【図１３】第２の実施形態に係る休日変更設定画面の一例を示す画面図である。
【図１４】第３の実施形態の現金処理機の主な機能を説明する機能ブロック図である。
【図１５】第３の実施形態に係る切替時刻設定処理を示すフローチャートである。
【図１６】第３の実施形態に係る管理者画面の一例を示す画面図である。
【図１７】第３の実施形態に係る集計時刻設定画面の一例を示す画面図である。
【図１８】第３の実施形態に係る現金処理機における現金処理を示すフローチャートである。
【図１９】第３の実施形態に係る記憶部に記憶される出金取引データ及び入金取引データの構成を示す構成図である。
【図２０】第３の実施形態に係る休日分と集計作業実行日との集計結果及び計上結果を記録した伝票記録の構成例を示す図である。
【発明を実施するための形態】
【００１３】
（Ａ）第１の実施形態
以下では、本発明の現金処理装置及び現金処理プログラムの第１の実施形態を、図面を参照しながら詳細に説明する。
【００１４】
（Ａ−１）第１の実施形態の構成
（Ａ−１−１）現金処理機の構成
図２は、第１の実施形態の現金処理機の外観を示す外観図である。図２において、現金処理装置としての現金処理機１０は、表示部１０３、操作部１０４、カードリーダ１０５、硬貨入金口１１１、硬貨出金口１１７、紙幣入出金口２２１を有する。
【００１５】
現金処理機１０は、例えば、郵便事業者や銀行等の金融機関に設けられるものであり、金融機関の管理者や担当者（例えば、窓口担当者、渉外担当者等）の操作により現金処理を行うものである。
【００１６】
なお、この実施形態では、現金処理機１０が金融機関に設置されるものである場合を例示して説明するが、現金処理機１０は、例えば、スーパーマーケット、ショッピングセンタ、デパートその他小売店等に設けられるものであっても良い。
【００１７】
現金処理機１０は、担当者等の操作により、出金取引や入金取引を行う入出金処理と、管理者等の操作により、入金金額及び出金金額の集計処理や売上金の計上処理を行う現金管理処理とを行うものである。
【００１８】
ここで、出金取引は、例えば、業務開始前に、担当者が予め釣銭用として準備しておく現金を出金する釣銭出金取引や、業務開始後に、釣銭が不足し別途現金を出金する追加出金取引等がある。
【００１９】
入金取引は、担当者が売り上げた現金を入金する取引である。入金取引は、業務終了後に、担当者が現金を投入する最終入金取引や、業務途中において、例えば担当者のシフト交代等に応じて現金の一部を回収する途中入金取引等がある。
【００２０】
売上金とは、現金処理機１０に投入された入金金額から、現金処理機１０が釣銭として出金した出金金額を差し引いた額をいう。
【００２１】
現金処理機１０は、担当者識別情報に対応する入金取引データ及び出金取引データに基づいて、担当者毎の売上金を求めることができる。さらに、現金処理機１０は、１日分の入金取引データ及び出金取引データに基づいて、１日分の入金金額及び出金金額を集計したり、１日分の売上金を計上したりするものである。
【００２２】
また、現金処理機１０は、管理者不在日に、１日分の入金金額及び出金金額の集計や、１日分の売上金を計上する管理者不在モードで現金管理を行うものである。
【００２３】
ここで、管理者不在モードは、現在の日付が管理者不在日である場合に、その日の入金取引データ及び出金取引データに基づいて、管理者不在日の入出金金額の集計や売上金計上を行う動作モードである。
【００２４】
また、管理者不在モードは、管理者不在日の集計結果や売上金計上結果を記憶しておき、その後の集計作業実行日に、管理者により集計作業が行われると、管理者不在日の集計結果及び売上金計上結果と、集計作業実行日の集計結果及び売上金計上結果とを区別して出力するものである。
【００２５】
つまり、管理者不在日の集計結果等は、集計作業実行日に、当該集計作業実行日の集計結果等と共に出力される。集計作業は権限のある管理者によりなされるため、セキュリティ管理を保持することができる。
【００２６】
例えば、管理者が休日（例えば、土曜日、日曜日、祝日、定休日等）であり、その休日の翌営業日に管理者が集計作業を行ったとする。この場合、現金処理機１０は、翌営業日の集計作業のときに、休日分の集計結果等と、休日の翌営業日の集計結果等とを区別して出力する。これにより、管理者が休日の場合でも、管理者は、休日分と翌営業日分との個別の集計結果等を認識することができる。
【００２７】
図１は、第１の実施形態の現金処理機１０の内部構成を示す内部構成図である。図１において、現金処理機１０は、大別して、硬貨処理機１００、紙幣処理機２００、表示部１０３、操作部１０４、カードリーダ１０５、伝票記録部１０６、記憶部１０７、主制御部１０８を有する。
【００２８】
表示部１０３は、例えば液晶ディスプレイ（ＬＣＤ）等により、現金処理機１０の各種処理操作の案内、入力画面、入力情報、金種別の入金金額又は出金金額等を表示する表示手段である。
【００２９】
操作部１０４は、利用者が操作するものであり、例えば、キーボードやテンキーなどの物理的な入力手段や、表示部１０３上に配置されたタッチパネル等の入力手段を適用することができる。
【００３０】
カードリーダ１０５は、利用者（例えば、担当者、管理者等）が使用するＩＤカードに格納されている情報を読み取り、主制御部１０８に読み取り情報を与えるものである。これにより、ＩＤカードに格納されている担当者識別情報が読み取られ、入金取引データ及び出金取引データを担当者識別情報に対応付けて管理することができる。
【００３１】
なお、担当者識別情報は、例えば、ＩＤカードの識別情報、ユーザＩＤ、パスワード等の一部又は全部を適用することができる。そのため、カードリーダ１０５が読み取ったＩＤカードの識別情報、及び又は、操作部１０４から入力されたユーザＩＤ、パスワードを、担当者識別情報とすることができる。
【００３２】
伝票記録部１０６は、硬貨処理機１００や紙幣処理機２００で行われた入金処理又は出金処理の金額、金種別枚数等を伝票に記録して出力するものである。伝票記録部１０６は、例えば、プリンタ等を適用することができる。
【００３３】
記憶部１０７は、入金取引・出金取引の履歴、回収庫交換履歴、釣銭収納庫入出金履歴、回収庫入金履歴等を格納するカウンタテーブルを有したり、また後述する主制御部１０８が実行する制御プログラムを格納したり、更に主制御部１０８による処理結果も記憶するものである。
【００３４】
主制御部１０８は、記録部７に格納された制御プログラムに基づいて、現金処理機１０全体の処理を制御するものである。主制御部１０８は、つり銭出金処理や入金処理を行う入出金処理機能や、つり銭有高を管理するつり銭有高管理機能を有する。
【００３５】
硬貨処理機１００は、硬貨を金種別に収納・管理するものである。
【００３６】
硬貨処理機１００は、投入される硬貨を一括して受け入れる硬貨入金口１１１と、この硬貨入金口１１１に受け入れた硬貨を１枚ずつ分離して、硬貨の金種等を鑑別すると共に鑑別した硬貨を金種毎に計数する硬貨鑑別部１１２と、この硬貨鑑別部１１２で鑑別計数された硬貨を一時保留する硬貨一時保留部１１３と、つり銭準備金として使用する硬貨を金種別に収納する複数の釣銭用硬貨収納庫１１４、入金硬貨を金種別に収納する硬貨回収庫１１５と、つり銭用の硬貨を出金するための硬貨出金庫１１６と、硬貨出金口１１７と、制御プログラムに基づいて硬貨処理機１００全体の動作制御を行う制御部１１８を有する。
【００３７】
例えば、硬貨一時保留部１１３、釣銭用硬貨収納庫１１４、硬貨回収庫１１５、及び硬貨出金庫１１６は金種毎に分けて硬貨を集積、収納できるように内部が区切られている。
【００３８】
また例えば、硬貨入金口１１１と硬貨鑑別部１１２との間には、分離部により分離された硬貨を搬送する搬送ベルト等による搬送路が設けられている。また、釣銭用硬貨収納庫１１４と硬貨回収庫１１５及び硬貨出金庫１１６との間には、釣銭用硬貨収納庫１１４から排出される硬貨を硬貨回収庫１１５と硬貨出金庫１１６のいずれかに導く振分け手段と、通過する硬貨を金種毎に計数する計数手段とが設けられている。
【００３９】
紙幣処理機２００は、紙幣を金種別に収納・管理するものである。
【００４０】
紙幣処理機２００は、入金処理時に投入される紙幣を一括して受け入れると共に出金処理時に釣銭としての紙幣を排出する紙幣入出金口２２１と、この紙幣入出金口２２１に受け入れた紙幣を１枚ずつ分離して、紙幣の金種等を鑑別すると共に鑑別した紙幣を金種毎に計数する紙幣鑑別部２２２と、この紙幣鑑別部２２２で鑑別計数された紙幣を集積して一時保留する紙幣一時保留部２２３と、釣銭準備金として使用する特定金種（例えば、五千円、千円等）の紙幣を金種別に収納する釣銭用紙幣収納庫２２４と、入金紙幣を金種別に収納する紙幣回収庫２２５と、紙幣リジェクト部２２６と、制御プログラムに基づいて紙幣処理機２００全体の動作制御を行う制御部２２７を少なくとも有して構成される。
【００４１】
ここで、例えば、一時保留部２２３には紙幣を繰出す繰出し手段が設けられている。また例えば、釣銭用紙幣収納庫２２４にも紙幣の集積手段が紙幣を搬送路に繰り出す繰出し手段と共に設けられている。
【００４２】
なお、硬貨処理機１００の制御部１１８及び紙幣処理機２００の制御部２２７は主制御部１０８の指示により硬貨処理機１００及び紙幣処理機２００を制御する。
【００４３】
（Ａ−１−２）現金処理機の機能的構成
図３は、第１の実施形態の現金処理機１０の主な機能を説明する機能ブロック図である。図３の第１の実施形態の現金処理機１０の機能は、主制御部１０８が、記憶部１０７に格納される入出金プログラム、現金処理プログラムを実行することにより実現される。
【００４４】
図３において、現金処理機１０は、取引種別出力部５０１、出金処理部５０２、入金処理部５０３、現金処理部５０４、記憶部５０５、休日記憶部５０６を有する。
【００４５】
取引種別出力部５０１は、取引種別メニュー画面を表示部１０３に出力し、現金処理機１０で行う取引種別を利用者に選択させるものである。例えば、取引種別出力部５０１は、出金取引、入金取引、現金管理処理等を含む選択メニューとして出力する。
【００４６】
出金処理部５０２は、例えば担当者又は管理者等の利用者の操作を受けて、出金取引に係る処理を行うものである。出金処理部５０２は、主に、担当者毎の釣銭出金を行うものである。例えば、出金処理部５０２は、担当者識別情報を用いて認証処理を行い、操作部１０４から出金に係る金種金額を受けると、金種金額に基づく出金処理を、硬貨処理機１及び紙幣処理機２に対して指示する。また、出金処理部５０２は、出金に係る金種金額を、担当者識別情報に対応付けて取引履歴情報として記憶部５０５に記憶させるものである。
【００４７】
入金処理部５０３は、例えば担当者又は管理者等の利用者の操作を受けて、入金取引に係る処理を行なうものである。入金処理部５０３は、担当者の業務終了後等に、担当者が所持する現金を入金する。例えば、入金処理部５０３は、担当者識別情報を用いて認証処理を行い、操作部４から入金要求を受けると、硬貨処理機１及び紙幣処理機２への現金の投入を受け付け、投入現金の金種毎の金額を求める。また、入金処理部５０３は、投入現金の金種毎の金額を、担当者識別情報に対応付けて取引履歴情報として記憶部５０５に記憶させるものである。
【００４８】
現金処理部５０４は、管理者の操作を受けて、現金管理を行うものである。図３に示すように、現金処理部５０４は、認証部５１０、設定種別出力部５２０、動作モード確認部５３０、通常モード部５４０、休日モード部５５０、休日モード設定部５６０を有する。
【００４９】
認証部５１０は、現金管理を行う管理者を認証するものである。例えば、認証部５１０は、管理者の有するＩＤカード式熱情報、管理者ＩＤ、パスワードを用いて管理者の正当性を認証する。
【００５０】
設定種別出力部５２０は、現金処理部５０４の実行処理の種別をメニュー画面として表示部１０３に出力し、管理者に選択させるものである。現金処理部５０４の実行処理の種別としては、例えば、休日モードの設定、担当者や管理者のシフトやスケジュールの設定、担当者や管理者の担当者識別情報の登録等がある。
【００５１】
休日モード設定部５６０は、管理者の休日を設定するものである。休日モード設定部５６０は、カレンダーを含む設定画面を表示部１０３に出力し、管理者の休日の日付を選択させるカレンダー出力部５６１と、選択された日付を管理者不在日（休日）として休日記憶部５０６に設定する日付取得部５６２とを有する。これにより、管理者は不在日を設定することができ、その設定した日付における現金処理は、休日モードで計上・集計を行うことができる。
【００５２】
ここで、休日モード設定部５６０は、例えば、土曜日、日曜日、祝日、定休日等のように予め計画されている休日については、予め管理者不在日として設定されているようにしても良い。つまり、休日モード設定部５６０は、予め分かっている計画休日を、管理者不在日のデフォルトとして設定するようにしても良い。
【００５３】
また、現金処理機１０が、担当者や管理者の勤務スケジュールを記憶するものである場合、休日モード設定部５６０は、管理者の勤務スケジュールを読み出し、管理者の勤務スケジュールに登録されている休日を管理者不在日として設定するようにしても良い。つまり、休日モード設定部５６０は、管理者の勤務スケジュールと同期して管理者不在日を設定できるものであっても良い。
【００５４】
動作モード確認部５３０は、休日記憶部５０６を参照して、現在の日付（本日）が管理者不在日であるか否かを判断して休日モードで動作するか否かを確認するものである。
【００５５】
休日モード部５５０は、動作モード確認部５３０により管理者不在日であると判断されると、その日（管理者不在日）の入金取引データ及び出金取引データに基づいて、入金金額及び出金金額の集計処理や売上金の計上処理を行うものである。
【００５６】
休日モード部５５０は、休日分集計処理部５５１、休日分集計結果登録部５５２を有する。
【００５７】
休日分集計処理部５５１は、記憶部５０５に記憶される入金取引データ及び出金取引データに基づいて、休日分の入金金額及び出金金額の集計処理や売上金の計上処理を行うものである。
【００５８】
休日分集計処理部５５１は、例えば、当該休日の午後１１時等のように予め設定された時刻に、休日分の集計処理や売上金の計上処理を行うようにしても良い。つまり、休日分集計処理部５５１の実行処理タイミングは、予め設定されていても良いし、又は設定変更できるようにしても良い。
【００５９】
なお、休日分集計処理部５５１は、１日分の入金金額及び出金金額の集計、１日分の売上金の計上だけでなく、担当者毎の入金金額及び出金金額の集計、担当者毎の売上金の計上を行うようにしても良い。また、休日分集計処理部５５１は、休日分の現金日報に必要なデータを作成できるようにしても良い。
【００６０】
休日分集計結果登録部５５２は、休日分集計処理部５５１による計上結果・集計結果を、記憶部５０５に記憶するものである。休日分の計上結果及び集計結果は、例えば翌日等の集計実行日に出力されるため、出力されるまでの間、記憶部５０５に保持される。
【００６１】
通常モード部５４０は、管理者の操作により、記憶部５０５の入金取引データ及び出金取引データに基づいて、入金金額及び出金金額の集計処理や売上金の計上処理を行うものである。
【００６２】
通常モード部５４０は、入出金の集計処理や売上金の計上処理を行う集計処理部５４１と、休日モードによる集計結果及び計上結果が出力されているか否かを判断し、休日分が出力されていない場合に、休日分と当日分との集計結果及び計上結果を出力する分別出力部５４２とを有する。
【００６３】
（Ａ−２）第１の実施形態の動作
次に、第１の実施形態に係る現金処理機１０における処理の動作を、図面を参照しながら詳細に説明する。
【００６４】
図４は、第１の実施形態に係る休日設定処理を示すフローチャートである。
【００６５】
まず、現金処理機１０は、管理者の担当者識別情報を取得し（Ｓ１０１）、取得した担当者識別情報を用いて管理者の認証処理を行う（Ｓ１０２）。認証が成功すると、現金処理機１０は管理者専用の管理者画面を出力し（Ｓ１０３）、認証が失敗すると、現金処理機１０は処理を終了させる。
【００６６】
例えば、管理者は、カードリーダ１０５にＩＤカードのＩＤカード識別情報を読み取らせ、又操作部１０４に、管理者の識別情報及びパスワードを入力する。そして、現金処理機１０の主制御部１０８が、ＩＤカード識別情報、管理者の識別情報及びパスワードが、登録情報と一致するか否かを判断して認証を行う。
【００６７】
図５は、第１の実施形態に係る管理者画面の一例を示す画面図である。図５において、管理者画面６１０は、少なくとも「休日モード設定」ボタン６１１と、「取消」ボタン６１２とを有する。なお、図５の管理者画面６１０は、「休日モード設定」ボタン６１１の他に、担当者や管理者のシフトや勤務スケジュールの登録ボタン、担当者情報を設定する設定ボタン、装置運用情報を表示するボタン等を備えるようにしても良い。
【００６８】
管理者は、休日を設定する際、「休日モード設定」ボタン６１２を選択する。これにより、現金処理機１０の主制御部１０８は、休日モードの設定指示を取得し（Ｓ１０４）、休日モード設定画面を表示部１０３に出力する（Ｓ１０５）。
【００６９】
そして、主制御部１０８は、休日モード設定画面において管理者が選択した日付情報を取得し（Ｓ１０６）、その日付情報を管理者不在日として休日記憶部５０６に設定する（Ｓ１０７）。
【００７０】
図６は、第１の実施形態に係る休日モード設定画面の一例を示す画面図である。図６において、休日モード設定画面６２０は、カレンダーを表示して休日を選択させる休日選択部６２４を有する。図６の休日選択部６２４は、例えば１１月の１カ月分のカレンダーを表示する場合を例示している。
【００７１】
休日選択部６２４のカレンダーは、各日付が選択可能なボタンになっている。選択された日付は、例えば反転や色設定等の強調表示がなされ、選択されたことを管理者に示すようにしても良い。このように、管理者が休日の日付を選択することで休日設定を行うことができる。
【００７２】
なお、図６では、休日選択部６２４が１カ月分のカレンダーを表示する場合を例示するが、１週間単位、２週間単位等のカレンダーを表示するものであっても良い。
【００７３】
また、土曜日、日曜日、祝日、定休日等の予め計画されている休日については、予め休日として予め設定されていても良い。この場合、休日選択部６２４に表示されるカレンダーにおいて、計画的な休日が予め反転や色設定等の強調表示がなされていても良い。
【００７４】
また、図６の休日モード設定画面６２０は、カレンダーの当月を示す当月表示部６２１と、前月のカレンダーを表示させる前月表示指示部６２２と、次月のカレンダーを表示させる次月表示指示部６２３とを有する。前月のカレンダーを表示することで、過去の休日設定を表示することができ、又次月のカレンダーを表示することで、次月の休日の設定又は設定状況表示の確認を行うことができる。
【００７５】
また、図６の休日モード選択画面６２０において、日付が選択され、設定ボタン６２７が選択されると、選択された日付が管理者不在日として設定される。さらに、図６の休日モード選択画面６２０は、変更ボタン６２６を有しており、設定された管理者不在日の設定変更が可能である。
【００７６】
上記のようにして、予め管理者の休日を設定しておくことができる。
【００７７】
次に、第１の実施形態の現金処理機１０における現金処理を、図面を参照しながら詳細に説明する。
【００７８】
図７は、第１の実施形態に係る現金処理機１０における現金処理を示すフローチャートである。
【００７９】
まず、現金処理機１０において、主制御部１０８は、休日記憶部５０６を参照して、現在の日付（本日）が休日記憶部５０６に記憶されている休日（管理者不在日）に該当するか否かを判断する（Ｓ２０１）。例えば、主制御部１０８による休日確認のタイミングは、現金処理機１０の起動時であっても良いし、予め定められた時刻等であっても良い。
【００８０】
本日が休日である場合、主制御部１０８は処理をＳ２０２に移行して休日モードで集計処理等を行い、本日が休日でない場合、主制御部１０８は処理をＳ２０４に移行して通常モードで集計処理等を行う。
【００８１】
本日が休日である場合、主制御部１０８は、記憶部５０５に記憶されている出金取引データ及び入金取引データに基づいて、休日分の入金金額及び出金金額の集計処理と、休日分の売上金の計上処理を行う（Ｓ２０２）。
【００８２】
そして、主制御部１０８は、休日分（本日分）の入金金額及び出金金額の集計結果と、休日分（本日分）の売上金の計上結果を記憶部５０５に記憶する（Ｓ２０３）。
【００８３】
図８は、記憶部５０５に記憶される出金取引データ及び入金取引データの構成を示す構成図である。
【００８４】
なお、図８において、「操作日時：2012/11/3」は休日（管理者不在日）であり、「操作日時：2012/11/2」及び「操作日時：2012/11/4」は平日（集計作業実行日）であるとする。
【００８５】
図８において、記憶部５０５の取引データは、「取引通番」、「操作日時」、「取引種別」、「ＩＤカード識別情報」、「担当者ＩＤ」、「金額」、「集計・計上フラグ」、「出力フラグ」等を有する。なお、図８の「操作日時」は年月日のみを示しているが時刻情報を含むようにしても良い。
【００８６】
例えば、図８において、「取引通番：10001」は、「操作日時：2012/11/2」であり、「ＩＤカード識別番号：1001」及び「担当者ＩＤ：1111」の担当者が、出金金額「金額：１００，０００円」の「取引種別：出金」を行ったことを示す。
【００８７】
例えば、本日が「2012/11/2」であるとする。本日「2012/11/2」は平日なので、主制御部１０８は、図８の「取引通番：10001」〜「取引通番：10004」の出金取引データ及び入金取引データに基づいて集計処理及び計上処理を行う（Ｓ２０４）。
【００８８】
この場合、主制御部１０８は、集計処理及び計上処理を行うと、「集計・計上フラグ：１」を付与する。さらに、主制御部１０８は、集計結果及び計上結果を出力すると、「出力フラグ：１」を付与する。
【００８９】
主制御部１０８は、本日分よりも前の取引データの「出力フラグ」を見て、出力されていない集計結果及び計上結果の有無を判断する（Ｓ２０５）。そして、未出力の集計結果及び計上結果がない場合、主制御部１０８は処理をＳ２０７に移行する。この場合、2012/11/2以前の未出力の集計結果及び計上結果がないので、主制御部１０８は、本日の集計結果及び計上結果を伝票記録部１０６に出力させる（Ｓ２０７）。
【００９０】
ここで、「集計・計上フラグ」は、集計処理及び計上処理が終了したか否かを示すフラグであり、例えば処理が実行されると「１」が付与され、未処理の場合「０」が付される。
【００９１】
また、「出力フラグ」は、集計結果及び計上結果が出力済みか否かを示すフラグである。「出力フラグ」も、同様に、「１」が出力済みであり、「０」が未出力であることを示す。
【００９２】
なお、「集計・計上フラグ」及び「出力フラグ」について、第１の実施形態では、「１」と「０」の２値で表現する場合を例示するが、処理済みか又は未処理かを識別できるのであれば、これに限定されない。また、「０」が処理済みであり、「１」が未処理であっても良い。
【００９３】
次に、例えば本日が「2012/11/3」（休日）であるとする。主制御部１０８は、「集計・計上フラグ」を見て、「集計・計上フラグ」が「０」となっている「取引通番：10005」及び「取引通番：10006」の出金取引データ及び入金取引データに基づいて、出金金額及び入金金額の集計処理と売上金の計上処理を行い（Ｓ２０２）、その集計結果及び計上結果を記憶部５０５に記憶する（Ｓ２０３）。
【００９４】
このとき、主制御部１０８は、集計処理及び計上処理を行うため、「集計・計上フラグ」を「０」から「１」に更新する。しかし、主制御部１０８は休日モードで集計処理等を行うため、集計結果及び計上結果を出力しない。そのため、主制御部１０８は、「出力フラグ」については「０」のままとする。
【００９５】
次に、本日が「2012/11/4」であるとする。本日「2012/11/4」は、休日後、最初の集計作業実行日である。この場合、主制御部１０８は、「集計・計上フラグ」を見て、「集計・計上フラグ」が「０」となっている「取引通番：10007」及び「取引通番：10008」の出金取引データ及び入金取引データに基づいて、出金金額及び入金金額の集計処理と売上金の計上処理を行う（Ｓ２０４）。
【００９６】
このとき、主制御部１０８は、集計処理及び計上処理を行うと、「取引通番：10007」及び「取引通番：10008」について「集計・計上フラグ：１」を付与する。
【００９７】
さらに、主制御部１０８は、本日分よりも前の取引データの「出力フラグ」を見て、出力されていない集計結果及び計上結果の有無を判断する（Ｓ２０５）。そして、未出力の集計結果及び計上結果がある場合、主制御部１０８は処理をＳ２０６に移行する。また、主制御部１０８は、未出力分（すなわち休日分）の集計結果及び計上結果が出力済みか否かを判断する（Ｓ２０６）。そして、休日分の集計結果及び計上結果が出力済みである場合には、主制御部１０８は処理をＳ２０７に移行する。一方、休日分の集計結果及び計上結果が未出力である場合、主制御部１０８は、未出力である休日分の集計結果及び計上結果と当日分の集計結果及び計上結果を出力する。
【００９８】
つまり、この場合、「2012/11/3」に処理された未出力の集計結果及び計上結果である「取引通番：10005」及び「取引通番：10006」があるため、主制御部１０８は、休日分である「操作日時：2012/11/3」分の集計結果及び計上結果と、本日「操作日時：2012/11/4」の集計結果及び計上結果を伝票記録部１０６に出力させる（Ｓ２０８）。
【００９９】
図９は、休日分と集計作業実行日との集計結果及び計上結果を記録した伝票記録の構成例を示す図である。図９は、図８の例の「操作日時：2012/11/4」の集計作業日に出力する場合を例示する。
【０１００】
図９に示すように、現金処理機１０は、集計実行日の「2012/11/4」分の集計結果及び計上結果と、休日の「2012/11/3」分の集計結果及び計上結果とを区別して出力する。なお、図９では、１枚の伝票に休日分と集計作業日分の結果を出力する場合を例示するが、各日毎に１枚の伝票を出力するようにしても良い。
【０１０１】
（Ａ−３）第１の実施形態の効果
以上のように、第１の実施形態によれば、管理者不在により、管理者が集計作業を実施できない場合において、予め管理者不在日を設定しておくことで、管理者不在日の集計処理及び計上処理を別途行うことができる。その結果、管理者は、管理者不在日分の集計結果及び計上結果を別管理することができる。
【０１０２】
（Ｂ）第２の実施形態
次に、本発明の現金処理装置及び現金処理プログラムの第２の実施形態を、図面を参照しながら詳細に説明する。
【０１０３】
（Ｂ−１）第２の実施形態の構成及び動作
第２の実施形態の現金処理機は、第１の実施形態の現金処理機１０の機能に加えて、営業日当日に休日（管理者不在日）の設定をするものである。そのため、第２の実施形態においても、図１及び図２を用いて説明する。
【０１０４】
図１０は、第２の実施形態の現金処理機１０の主な機能を説明する機能ブロック図である。図１０の第２の実施形態の現金処理機１０の機能は、主制御部１０８が、記憶部１０７に格納される入出金プログラム、現金処理プログラムを実行することにより実現される。
【０１０５】
図１０において、現金処理機１０は、取引種別出力部５０１、出金処理部５０２、入金処理部５０３、現金処理部５０４、記憶部５０５、休日記憶部５０６を有する。
【０１０６】
また、現金処理部５０４は、認証部５１０、設定種別出力部５２０、動作モード確認部５３０、通常モード部５４０、休日モード部５５０、休日モード設定部５６０を有する。
【０１０７】
第２の実施形態では、休日モード設定部５６０の機能が第１の実施形態と異なる。第２の実施形態の休日モード設定部５６０は、第１の実施形態のカレンダー出力部５６１及び日付取得部５６２に加えて、休日変更設定部５６３を有する。
【０１０８】
休日変更設定部５６３は、管理者操作により、当日に休日（管理者不在日）設定を行うものである。これにより、営業日当日、管理者に緊急の用事が発生した場合でも、集計・計上処理の動作モードを通常モードから休日モードに切り替えることができる。
【０１０９】
図１１は、第２の実施形態に係る休日への変更設定処理を示すフローチャートである。
【０１１０】
まず、現金処理機１０が起動し、現金処理機１０は、管理者の担当者識別情報を取得し（Ｓ１０１）、取得した担当者識別情報を用いて管理者の認証処理を行う（Ｓ１０２）。認証が成功すると、現金処理機１０は管理者専用の管理者画面を出力し（Ｓ１０３）、認証が失敗すると、現金処理機１０は処理を終了させる。
【０１１１】
図１２は、第２の実施形態に係る管理者画面の一例を示す画面図である。図１２において、管理者画面６３０は、第１の実施形態で説明した「休日モード設定」ボタン６３１及び「取消」ボタン６３３に加えて、「休日変更設定」ボタン６３２を有する。
【０１１２】
管理者は、現金処理機１０の起動後に、「休日変更設定」ボタン６３２を選択する。これにより、現金処理機１０の主制御部１０８は、本日を休日に変更する指示を取得し（Ｓ３０１）、休日変更設定画面を表示部１０３に出力する（Ｓ３０２）。
【０１１３】
そして、主制御部１０８は、休日への変更設定画面において管理者が設定変更を選択すると、本日の動作モードを通常モードから休日モードに設定変更する（Ｓ３０３）。
【０１１４】
図１３は、第２の実施形態に係る休日変更設定画面の一例を示す画面図である。図１３において、休日変更設定画面６４０は、例えば、「本日は営業日です。休日に変更する場合、設定を押してください。」等のガイダンス表示部６４１、「設定」ボタン６４２、「取消」ボタン６４３を有する。
【０１１５】
管理者は、ガイダンス表示部６４１に従って、本日を休日にする場合には、「設定」ボタンを選択する。そして、休日変更設定部５６３は、本日を休日記憶部５０６に記憶する。これにより、現金処理機１０は、本日の集計処理及び計上処理を休日モードで処理を行う。
【０１１６】
なお、図１３の休日変更設定画面６４０は、当日を休日に変更設定するか否かを選択する場合を例示した。これにより、簡単な選択で休日への変更設定が可能になる。しかし、図１３の画面例は、一例であり、これに限定されるものではない。例えば、図６の画面例のように、カレンダーを表示し、当日を休日に設定するものであっても良い。
【０１１７】
現金処理機１０における休日モードによる集計処理及び計上処理については、第１の実施形態と同様であるので、ここでの詳細な説明を省略する。
【０１１８】
（Ｂ−２）第２の実施形態の効果
以上のように、第２の実施形態によれば、予め休日（管理者不在日）が設定されていない場合でも、当日に休日設定を行うことができる。
【０１１９】
（Ｃ）第３の実施形態
（Ｃ−１）第３の実施形態の構成及び動作
第３の実施形態の現金処理機は、第１の実施形態、及び又は、第２の実施形態の現金処理機１０の機能に加えて、休日の１日単位を規定するため、休日扱いとする切り替え時刻を設定するものである。そのため、第３の実施形態においても、図１及び図２を用いて説明する。
【０１２０】
図１４は、第３の実施形態の現金処理機１０の主な機能を説明する機能ブロック図である。図１４の第３の実施形態の現金処理機１０の機能は、主制御部１０８が、記憶部１０７に格納される入出金プログラム、現金処理プログラムを実行することにより実現される。
【０１２１】
図１４において、現金処理機１０は、取引種別出力部５０１、出金処理部５０２、入金処理部５０３、現金処理部５０４、記憶部５０５、休日記憶部５０６を有する。
【０１２２】
また、現金処理部５０４は、認証部５１０、設定種別出力部５２０、動作モード確認部５３０、通常モード部５４０、休日モード部５５０、休日モード設定部５６０を有する。
【０１２３】
第３の実施形態では、休日モード設定部５６０の機能が第１の実施形態及び又は第２の実施形態と異なる。第３の実施形態の休日モード設定部５６０は、第１の実施形態のカレンダー出力部５６１及び日付取得部５６２、第２の実施形態の休日変更設定部５６３に加えて、切替時刻設定部５６４を有する。
【０１２４】
切替時刻設定部５６４は、管理者操作により、休日（管理者不在日）の期限を設定するために、休日期限の時刻を設定するものである。また、切替時刻設定部５６４は、一度設定した切替時刻を変更することもできる。
【０１２５】
例えば、管理者不在の休日が連続するような場合に、現金処理機１０は、連続する休日分のうち、最初の休日分と次の休日分とを区別して集計処理及び計上処理を実行することができる。また例えば、担当者は、管理者不在時に入金取引データの入力が遅くなる場合があるが、このように期限設定を行うことで、現金処理機１０は、休日分と翌営業日（集計作業実行日）分とを区別して集計処理及び計上処理を実行することができる。
【０１２６】
図１５は、第３の実施形態に係る切替時刻設定処理を示すフローチャートである。
【０１２７】
まず、現金処理機１０が起動し、現金処理機１０は、管理者の担当者識別情報を取得し（Ｓ１０１）、取得した担当者識別情報を用いて管理者の認証処理を行う（Ｓ１０２）。認証が成功すると、現金処理機１０は管理者専用の管理者画面を出力し（Ｓ１０３）、認証が失敗すると、現金処理機１０は処理を終了させる。
【０１２８】
図１６は、第３の実施形態に係る管理者画面の一例を示す画面図である。図１６において、管理者画面６５０は、第１の実施形態で説明した「休日モード設定」ボタン６５１及び「取消」ボタン６５４と、第２の実施形態の「休日変更設定」ボタン６５３とに加えて、「切替時刻設定」ボタン６５４を有する。
【０１２９】
管理者は、現金処理機１０の起動後に、「切替時刻設定」ボタン６５４を選択する。これにより、現金処理機１０の主制御部１０８は、切替時刻設定指示を取得し（Ｓ４０１）、集計時刻設定画面を表示部１０３に出力する（Ｓ４０２）。
【０１３０】
そして、管理者が切替時刻設定画面を通じて集計時刻を入力すると、主制御部１０８は、入力された切替時刻を設定する（Ｓ４０３）。
【０１３１】
図１７は、第３の実施形態に係る集計時刻設定画面の一例を示す画面図である。図１７において、切替時刻設定画面６６０は、例えば、「切替時刻を入力してください。」等のガイダンス表示部６６１、時刻入力部６６２、「設定」ボタン６６３、「取消」ボタン６６４を有する。
【０１３２】
管理者は、ガイダンス表示部６６１に従って、時刻入力部６６２に切替時刻を入力し、「設定」ボタン６６３を選択する。これにより、現金処理機１０は、休日の切替時刻になると当該休日を終了する。そして、現金処理機１０は、それ以降については翌日扱いに切り替えて集計処理及び計上処理を行うことができる。
【０１３３】
図１８は、第３の実施形態に係る現金処理機１０における現金処理を示すフローチャートである。
【０１３４】
まず、現金処理機１０において、主制御部１０８は、休日記憶部５０６を参照して、現在の日付（本日）が休日記憶部５０６に記憶されている休日（管理者不在日）に該当するか否かを判断する（Ｓ２０１）。
【０１３５】
本日が休日である場合、主制御部１０８は処理をＳ２０２に移行して休日モードで集計処理等を行い、本日が休日でない場合、主制御部１０８は処理をＳ２０４に移行して通常モードで集計処理等を行う（Ｓ２０２）。そして、主制御部１０８は、休日分の入金金額及び出金金額の集計結果と、休日分の売上金の計上結果を記憶部５０５に記憶する（Ｓ２０３）。
【０１３６】
図１９は、記憶部５０５に記憶される出金取引データ及び入金取引データの構成を示す構成図である。
【０１３７】
なお、図１９において、「操作日時：2012/11/10」及び「操作日時：2012/11/11」は休日（管理者不在日）であり、「操作日時：2012/11/9」及び「操作日時：2012/11/12」は平日（集計作業実行日）であるとする。
【０１３８】
例えば、本日が「操作日時：2012/11/9」であるとする。本日「2012/11/9」は平日であるため、主制御部１０８は、「取引通番：10001」〜「取引通番：10004」に基づいて、集計処理及び計上処理を行う（Ｓ２０４）。この場合、主制御部１０８は、集計処理及び計上処理を行うと、「集計・計上フラグ：１」を付与する。
【０１３９】
また、主制御部１０８は、本日分よりも前の取引データの「出力フラグ」を見て、未出力の集計結果及び計上結果の有無を判断する（Ｓ２０５）。そして、未出力の集計結果及び計上結果がない場合、主制御部１０８は処理をＳ２０７に移行する。この場合、「2012/11/9」以前の未出力の集計結果及び計上結果がないので、主制御部１０８は、本日の集計結果及び計上結果を伝票記録部１０６に出力させる（Ｓ２０７）。さらに、主制御部１０８は、集計結果及び計上結果を出力すると、「出力フラグ：１」を付与する。
【０１４０】
次に、例えば本日が「2012/11/10」（休日）であるとする。主制御部１０８は、「集計・計上フラグ」を見て、「集計・計上フラグ」が「０」となっている「取引通番：10005」及び「取引通番：10006」の出金取引データ及び入金取引データに基づいて、出金金額及び入金金額の集計処理と売上金の計上処理を行い（Ｓ２０２）、その集計結果及び計上結果を記憶部５０５に記憶する（Ｓ２０３）。
【０１４１】
このとき、主制御部１０８は、集計処理及び計上処理を行うため、「集計・計上フラグ」を「０」から「１」に更新する。しかし、主制御部１０８は休日モードで集計処理等を行うため、集計結果及び計上結果を出力しない。そのため、主制御部１０８は、「出力フラグ」については「０」のままとする。
【０１４２】
次に、主制御部１０８は、現在時刻が切替時刻になると（Ｓ５０１）、「2012/11/10」の翌日である「2012/11/11」扱いに切り替え、処理をＳ２０１に移行させる（Ｓ５０２）。
【０１４３】
Ｓ５０２により、本日が「2012/11/11」（休日）となると、主制御部１０８は、その後に記憶部５０５に記憶された「取引通番：10007」及び「取引通番：10008」の出金取引データ及び入金取引データに基づいて集計処理及び計上処理を行い（Ｓ２０２）、集計結果及び計上結果を記憶部５０５０に記憶する（Ｓ２０３）。そのため、「2012/11/10」と同様に、主制御部１０８は、「集計・計上フラグ」を「０」から「１」に更新するが、「出力フラグ」については「０」のままとする。
【０１４４】
また、主制御部１０８は、現在時刻が切替時刻になると（Ｓ５０１）、「2012/11/11」の翌日である「2012/11/12」扱いに切り替え、処理をＳ２０１に移行させる（Ｓ５０２）。
【０１４５】
そして、休日後、本日が「2012/11/12」である場合、主制御部１０８は、「集計・計上フラグ」を見て、「集計・計上フラグ」が「０」となっている「取引通番：10009」及び「取引通番：10010」の出金取引データ及び入金取引データに基づいて、出金金額及び入金金額の集計処理と売上金の計上処理を行う（Ｓ２０４）。
【０１４６】
このとき、主制御部１０８は、集計処理及び計上処理を行うと、「取引通番：10009」及び「取引通番：10010」について「集計・計上フラグ：１」を付与する。
【０１４７】
さらに、主制御部１０８は、本日分よりも前の取引データの「出力フラグ」を見て、出力されていない集計結果及び計上結果の有無を判断する（Ｓ２０５）。そして、未出力の集計結果及び計上結果がある場合、主制御部１０８は処理をＳ２０６に移行する。また、主制御部１０８は、未出力分（すなわち休日分）の集計結果及び計上結果が出力済みか否かを判断する（Ｓ２０６）。そして、休日分の集計結果及び計上結果が出力済みである場合には、主制御部１０８は処理をＳ２０７に移行する。一方、休日分の集計結果及び計上結果が未出力である場合、主制御部１０８は、未出力である休日分の集計結果及び計上結果と当日分の集計結果及び計上結果を出力する。
【０１４８】
つまり、この場合、「2012/11/10」と「2012/11/11」に処理された未出力の集計結果及び計上結果である「取引通番：10005」から「取引通番：10008」までの取引があるので、主制御部１０８は、休日分である「操作日時：2012/11/10」及び「操作日時：2012/11/11」分の集計結果及び計上結果と、本日「操作日時：2012/11/12」の集計結果及び計上結果を伝票記録部１０６に出力させる（Ｓ２０８）。
【０１４９】
図２０は、休日分と集計作業実行日との集計結果及び計上結果を記録した伝票記録の構成例を示す図である。図２０は、図１９の例の「操作日時：2012/11/12」の集計作業日に出力する場合を例示する。
【０１５０】
図２０に示すように、現金処理機１０は、集計実行日の「2012/11/12」分の集計結果及び計上結果と、休日の「2012/11/10」分及び「2012/11/11」分の集計結果及び計上結果とを区別して出力する。なお、図２０では、１枚の伝票に休日分と集計作業日分の結果を出力する場合を例示するが、各日毎に１枚の伝票を出力するようにしても良い。
【０１５１】
（Ｃ−２）第３の実施形態の効果
以上のように、第３の実施形態によれば、第１及び第２の実施形態の効果に加えて、
（Ｄ）他の実施形態
本発明は、上記の実施形態に限定されるものではなく、以下に例示するような変形実施形態も挙げることができる。
【０１５２】
（Ｄ−１）上記の実施形態では、情報処理装置は、入出金装置とは別装置であるものとして説明したが、入出金装置自体に搭載するようにしても良い。例えば、入出金装置に搭載されたコンピュータに実施形態の情報処理プログラムをインストールして実行させるようにしても良い。
【０１５３】
（Ｄ−２）上記の実施形態では、入出金処理装置が、図５に例示する区分で、有高を仕分けする場合を例示したが、図５に例示する区分に限定されるものではない。例えば、図５では、「その他」として仕分けしたが、更に細分化して、「自動販売機」、「コピー機」、「その他」等のようにしてもよい。
【符号の説明】
【０１５４】
１０…入出金装置、
１００…硬貨処理機、２００…紙幣処理機、１０３…表示部、１０４…操作部、１０５…カードリーダ、１０６…伝票記録部、１０７…記憶部、１０８…主制御部、
５０２…出金処理部、５０３…入金処理部、５０４…現金処理部、
５１０…認証部、５２０…設定種別出力部、５３０…動作モード確認部、
５４０…通常モード部、５４１…集計処理部、５４２…分別出力部、
５５０…休日モード部、５５１…休日分集計処理部、５５２…休日分主計結果登録部、
５６０…休日モード設定部、５６１…カレンダー出力部、５６２…日付取得部、５６３…休日変更設定部、５６４…切替時刻設定部。
【図１】
2014106863.tif 000003
【図２】
2014106863.tif 000004
【図３】
2014106863.tif 000005
【図４】
2014106863.tif 000006
【図５】
2014106863.tif 000007
【図６】
2014106863.tif 000008
【図７】
2014106863.tif 000009
【図８】
2014106863.tif 000010
【図９】
2014106863.tif 000011
【図１０】
2014106863.tif 000012
【図１１】
2014106863.tif 000013
【図１２】
2014106863.tif 000014
【図１３】
2014106863.tif 000015
【図１４】
2014106863.tif 000016
【図１５】
2014106863.tif 000017
【図１６】
2014106863.tif 000018
【図１７】
2014106863.tif 000019
【図１８】
2014106863.tif 000020
【図１９】
2014106863.tif 000021
【図２０】
2014106863.tif 000022